【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
版マガジン（３８；３９）であって、
印刷機の版胴（３１；３３）に取り付けようとする複数の版（３６；３７）を収容するための収容装置（４３；４４）が設けられており、該収容装置（４３；４４）に、版胴（３１；３３）の軸方向で相並んで複数の版（３６；３７）が配置されるようになっており、収容装置（４３；４４）の第１および第２の格納位置に、版胴（３１；３３）の周に沿って該版胴（３１；３３）に相前後して取り付けようとする版（３６；３７）が格納されるようになっており、収容装置（４３；４４）は、水平に方向付けされているか、または水平線（Ｈ）に対して１５°よりも小さな角度で傾斜付けされており、収容装置（４３；４４）に、載設部（５４）が設けられている形式のものにおいて、
載設部（５４）は、第２の格納位置を成しており、収容装置（４３；４４）における第１の格納位置は、第２の格納位置の上方に配置されていることを特徴とする、版マガジン。
【請求項２】
版（３６；３７）を第１の格納位置で保持する少なくとも１つの保持エレメント（６４）が設けられている、請求項１記載の版マガジン。
【請求項３】
保持エレメント（６４）は、互いに平行に延びる２つのガイドレール（６４）として形成されており、該ガイドレール（６４）は、版（３６；３７）を、該版の縦側面で、該版の長さ（Ｌ）の少なくとも一部に沿って、第１の格納位置に保持するようになっている、請求項１記載の版マガジン。
【請求項４】
各ガイドレール（６４）は、Ｕ字形の、版（３６；３７）の１縦側面を包囲する湾曲部材から成っている、請求項３記載の版マガジン。
【請求項５】
第１の格納位置で、４つの版（３６；３７）が、版胴（３１；３３）の軸方向で相並んで配置されており、各版（３６；３７）は、該版の縦側面で、ガイドレール（６４）に保持されている、請求項１記載の版マガジン。
【請求項６】
載設部（５４）は、平行に延びる複数の条片（５４）またはスライドレール（５４）として形成されており、該条片（５４）またはスライドレール（５４）に、版胴（３１；３３）に取り付けようとする、折り曲げられた掛止脚部（１３；１４）を備えた版（３６；３７）が載置されるか、または積み置かれるようになっている、請求項１記載の版マガジン。
【請求項７】
ストッパ（５６）が設けられており、該ストッパ（５６）に、収容装置（４３；４４）に格納された版（３６；３７）は、版胴（３１；３３）とは反対側で、後行端部（０４）において折り曲げられた掛止脚部（１４）で接触されるようになっている、請求項１記載の版マガジン。
【請求項８】
版（３６；３７）を収容装置（４３；４４）から搬送する搬送装置（５７）が設けられている、請求項１記載の版マガジン。
【請求項９】
搬送装置（５７）によって、版胴（３１；３３）の軸方向で相並んで積み置かれた版（３６；３７）が、版胴（３１）に、個別的に、またはまとめて同時に供給されるようになっている、請求項８記載の版マガジン。
【請求項１０】
ストッパ（５６）は、搬送装置（５７）と結合されていて、かつスライダ（５６）の機能を有している、請求項７または８記載の版マガジン。
【請求項１１】
ストッパ（５６）は、搬送装置（５７）によって、直線的に載設部（５４）に対して平行に、版胴（３１；３３）に向かって可動になっている、請求項７記載の版マガジン。
【請求項１２】
ストッパ（５６）は、載設部（５４）に対して垂直に位置する、搬送装置（５７）と結合されたレジスタピン（５６）として形成されており、該レジスタピン（５６）は、レジスタ打抜成形部と協働するようになっており、該レジスタ打抜成形部は、収容装置（４３；４４）に格納された版（３６；３７）の後行端部（０４）における掛止脚部（１４）に形成されている、請求項７記載の版マガジン。
【請求項１３】
収容装置（４３；４４）に、コードリーダ（７１）が取り付けられており、該コードリーダ（７１）によって、版（３６；３７）に取り付けられたコード化情報が読み取られるようになっている、請求項１記載の版マガジン。
【請求項１４】
版胴（３１；３３）から取り外そうとする少なくとも１つの版（３６；３７）を収容するための別の収容装置（４１；４２）が設けられている、請求項１記載の版マガジン。
【請求項１５】
別の収容装置（４１；４２）は、収容装置（４３；４４）と同様に、版（３６；３７）の長さ（Ｌ）に沿って延在する載設部（７２）を備えており、該載設部（７２）は、平行に延びる複数の条片（７２）またはスライドレール（７２）として形成されている、請求項１４記載の版マガジン。
【請求項１６】
別の収容装置（４１；４２）に、版胴（３１；３３）の軸方向で相並んで少なくとも２つの版（３６；３７）が格納されるようになっている、請求項１４記載の版マガジン。
【請求項１７】
版胴（３１；３３）の軸方向で相並んで２つの収容装置（４１；４２）が配置されている、請求項１４記載の版マガジン。
【請求項１８】
別の収容装置（４１；４２）は、版胴（３１；３３）の外周面（０７）の傍に配置されたガイドエレメント（７３）を備えており、該ガイドエレメント（７３）によって、版胴（３１；３３）から取り外そうとする版（３６；３７）の後行端部（０４）が、別の収容装置（４１；４２）に供給されるようになっており、ガイドエレメント（７３）にセンサ（９１）が取り付けられている、請求項１４記載の版マガジン。
【請求項１９】
センサ（９１）が、版胴（３１；３３）から取り外そうとする版（３６；３７）の後行端部（０４）における掛止脚部（１４）が緊締解除されたかどうか検査するようになっている、請求項１８記載の版マガジン。
【請求項２０】
収容装置（４１；４２；４３；４４）は、互いに平行に配置されている、請求項１４記載の版マガジン。
【請求項２１】
収容装置（４１；４２；４３；４４）は、層構造で上下に配置されている、請求項１４記載の版マガジン。
【請求項２２】
当該版マガジン（３８；３９）は、版胴（３１；３３）の傍における静止位置から作業位置に移動されるか、または旋回されるようになっており、該作業位置では、当該版マガジン（３８；３９）の開口（ｏ３８；ｏ３９）が、収容装置（４３；４４）から開口（ｏ３８；ｏ３９）を通って版胴（３１；３３）に供給される版（３６；３７）の長さ（Ｌ）よりも小さな間隔（ａ３８；ａ３９）を有して、版胴（３１；３３）に向かって案内されている、請求項１記載の版マガジン。
【手続補正２】
【補正対象書類名】明細書
【補正対象項目名】発明の名称
【補正方法】変更
【補正の内容】
【発明の名称】版マガジン
【手続補正３】
【補正対象書類名】明細書
【補正対象項目名】０００１
【補正方法】変更
【補正の内容】
【０００１】
本発明は、請求項１の上位概念に記載の形式の、版マガジンに関する。
【手続補正４】
【補正対象書類名】明細書
【補正対象項目名】００１２
【補正方法】変更
【補正の内容】
【００１２】
本発明の課題は、版マガジンを提供することである。
【手続補正５】
【補正対象書類名】明細書
【補正対象項目名】００１３
【補正方法】変更
【補正の内容】
【００１３】
この課題は、請求項１の特徴部に記載した装置によって解決される。
【手続補正６】
【補正対象書類名】明細書
【補正対象項目名】００３５
【補正方法】変更
【補正の内容】
【００３５】
本発明の装置に関する詳細を、図６〜図３５に基づいて以下に説明する。この場合図６には、周に沿って１８０°ずらして配置された２つの通路０８と、周に沿って相前後して配置された２つの版３７とを備えた版胴３３を示した。ここでは各版３７の、版胴３３の生産方向Ｐでみて後行端部０４における、直角に折り曲げられた掛止脚部１４は、通路０８に配置された、ばねエレメント２２によって圧力負荷された保持手段２１によって壁１９に保持され、この場合壁１９は、通路０８を開放する開口０９の後縁１７から通路０８に向かって延びており、保持手段２１はばねエレメント２２に対抗するニューマチック式の調節手段２３の操作によって作動解除することができる。同じ開口０９の前縁１６から通路に向かって延びる壁１８には、版胴３３の周に沿って配置された別の版３７の先行端部０３における、直角に折り曲げられた掛止脚部１３が形状接続式に接触している。版を保持するための詳細については図２を参照されたい。